(57)【特許請求の範囲】
【請求項１】
上面、底面、前面および後面と、
前記上面にある第１のガード表面およびキャップ表面（２６、２９）間に配置された複数の切刃（１０、１１、１２）と、
前記後面にある第２のガード表面およびキャップ表面（３３、３４）間に配置された付加的な切刃（３７）と、
を備え、
前記第１のガード表面およびキャップ表面に接する平面（ｔ１）内において測定した前記第１のガード表面およびキャップ表面間の距離（ｄ１）は、前記第２のガード表面およびキャップ表面間の距離（ｄ２）より大きく、
すすぎ水の流通のための通路（３５）が、前記付加的な切刃（３７）と前記第２のガード表面（３３）との間の隙間を、前記底面の開口（３８）と連結している、ことを特徴とする安全剃刀ブレードユニット。
【請求項２】
前記底面の開口（３８）が、前記付加的な切刃（３７）の全長にわたって延びるスロット（３５）である、ことを特徴とする請求項１に記載の安全剃刀ブレードユニット。
【請求項３】
前記第２のガード表面（３３）が、ガードバー（５２）上に設けられており、
前記底面の開口（３８）が、前記ガードバーから前記第２のガード表面（３３）とは反対側の方向へ延びるリップ（５６）によって画成された下縁を有している、ことを特徴とする請求項１または２に記載の安全剃刀ブレードユニット。
【請求項４】
前記ガードバー（５２）および前記リップ（５６）が、Ｌ字形の断面を有する一体的な部材によって形成されている、ことを特徴とする請求項３に記載の安全剃刀ブレードユニット。
【請求項５】
前記第２のガード表面およびキャップ表面（３３、３４）が、一体的なフレーム要素（３０）によって画成されている、ことを特徴とする請求項１乃至４のいずれかに記載の安全剃刀ブレードユニット。
【請求項６】
前記第１のガード表面およびキャップ表面（２６、２９）が主フレーム（２）上に設けられており、
前記フレーム要素（３０）が主フレーム（２）に取り付けられている、ことを特徴とする請求項５に記載の安全剃刀ブレードユニット。
【請求項７】
前記フレーム要素（３０）がスナップ嵌め接続によって前記フレーム（２）に取り付けられている、ことを特徴とする請求項６に記載の安全剃刀ブレードユニット。
【請求項８】
前記フレーム要素（３０）が、前記主フレームの両端部に配置されたクリップ（１９）によって前記主フレーム（２）に取り付けられている、ことを特徴とする請求項６に記載の安全剃刀ブレードユニット。
【請求項９】
前記フレーム要素（３０）が樹脂モールド成形品である、ことを特徴とする請求項５乃至８のいずれかに記載の安全剃刀ブレードユニット。
【請求項１０】
前記第２のガード表面およびキャップ表面（３３、３４）が、少なくとも一つのリブ（５４）によって相互に接続されている、ことを特徴とする請求項９に記載の安全剃刀ブレードユニット。
【請求項１１】
第１のガード表面およびキャップ表面（２６、２９）が前記主フレーム（２）上に設けられており、
前記フレーム要素（３０）が前記主フレーム上の所定の位置にモールド成形されている、ことを特徴とする請求項５に記載の安全剃刀ブレードユニット。
【請求項１２】
前記フレーム要素（３０）と、前記付加的な切刃（３７）を形成するブレード（３６）とが、予め組み立てられたユニットとして前記主フレーム（２）に取り付けられている、ことを特徴とする請求項５、６、７または８に記載の安全剃刀ブレードユニット。
【請求項１３】
前記第２のガード表面およびキャップ表面（３３、３４）間の距離（ｄ２）が、前記第１のガード表面およびキャップ表面（２６、２９）間の距離（ｄ１）の７５％以下である、ことを特徴とする請求項１乃至１２のいずれかに記載の安全剃刀ブレードユニット。
【請求項１４】
前記第２のガード表面およびキャップ表面（３３、３４）間の距離（ｄ２）が、前記第１のガード表面およびキャップ表面（２６、２９）間の距離（ｄ１）の２５％〜５０％である、ことを特徴とする請求項１乃至１２のいずれかに記載の安全剃刀ブレードユニット。
【請求項１５】
前記第２のガード表面（３３）の皮膚接触領域は、前記第１のガード表面（２６）の皮膚接触領域よりも幅が狭い、ことを特徴とする請求項１乃至１４のいずれかに記載の安全剃刀ブレードユニット。
【請求項１６】
前記第２のキャップ表面（３４）の皮膚接触領域は、前記第１のキャップ表面（２９）の皮膚接触領域よりも幅が狭い、ことを特徴とする請求項１乃至１５のいずれかに記載の安全剃刀ブレードユニット。
【請求項１７】
当該ブレードユニットは、その長手方向に延びる軸線（Ａ）の回りで回動できるように支持構造（４０）上に取り付けられ、ないしは取り付け可能となっており、
当該ブレードユニットの回動を突当たり位置において制限するべく前記支持構造に当接するストッパ（４４）を備え、
毛剃り工程中に前記上面にある前記ブレードの切刃（１０、１１、１２）に作用する毛剃り力は、当該ブレードユニットが回動して前記突当たり位置から離間するように作用し、
毛剃り工程中に前記付加的な切刃（３７）に作用する毛剃り力は、当該ブレードユニットが回動して前記ストッパ（４４）が前記支持構造（４０）に当接するように作用する、ことを特徴とする請求項１乃至１６のいずれかに記載の安全剃刀ブレードユニット。
【請求項１８】
当該ブレードユニットは、ばね構造によって静止位置に向かって付勢されるように構成されており、その静止位置が前記回動の突当たり位置となっている、ことを特徴とする請求項１７に記載の安全剃刀ブレードユニット。
【請求項１９】
前記第２のガード表面およびキャップ表面に接する平面は、前記第１のガード表面およびキャップ表面に接する平面に対して１０度〜１３５度の範囲の角度をなしている、ことを特徴とする請求項１乃至１８のいずれかに記載の安全剃刀ブレードユニット。
【請求項２０】
前記第２のガード表面およびキャップ表面（３３、３４）に接する平面（ｔ２）が、前記第１のガード表面およびキャップ表面（２６、２９）に接する平面（ｔ１）に対して９０度以下の角度（θ）をなしている、ことを特徴とする請求項１９に記載の安全剃刀ブレードユニット。
【請求項２１】
前記接する平面（ｔ１，ｔ２）どうしの間の角度（θ）が３０度〜６０度の範囲にある、ことを特徴とする請求項２０に記載の安全剃刀ブレードユニット。
【請求項２２】
前記第２のガード表面（３３）と前記第２のキャップ表面（３４）との間に、切刃（３７）を有した単一の付加的なブレード（３６）がある、ことを特徴とする請求項１乃至２１のいずれかに記載の安全剃刀ブレードユニット。
【請求項２３】
前記第１のガード表面（２６）と前記第１のキャップ表面（２９）との間に、切刃（１０、１１、１２）を有した２枚より多いブレード（７、８、９）がある、ことを特徴とする請求項１乃至２２のいずれかに記載の安全剃刀ブレードユニット。
【請求項２４】
前記第１のガード表面（２６）と前記第２のガード表面（３３）の少なくとも一方が、エラストマ製のストリップ（２４）を有している、ことを特徴とする請求項１乃至２３のいずれかに記載の安全剃刀ブレードユニット。
【請求項２５】
前記第１のキャップ表面（２９）と前記第２キャップ表面（３４）の少なくとも一方が、潤滑性のストリップ（２８）を有している、ことを特徴とする請求項１乃至２４のいずれかに記載の安全剃刀ブレードユニット。
【請求項２６】
前記第１のキャップ表面が、前記第２のガード表面およびキャップ表面に接触する皮膚の表面に接触して潤滑するように構成された、潤滑性のストリップを有している、ことを特徴とする請求項２５に記載の安全剃刀ブレードユニット。
【請求項２７】
ハンドル（４１）と、
このハンドルに支持される、請求項１乃至２６のいずれかに記載された安全剃刀ブレードユニット（１）と、
を備える、ことを特徴とする安全剃刀。
【発明の詳細な説明】
【技術分野】
【０００１】
本発明は、安全剃刀に関し、より詳しくは、鋭利な切刃を具備する少なくとも一つのブレードを有し、ハンドルによって支持されて毛剃り（シェービング）する肌の表面を横切って移動する安全剃刀のブレードユニットに関する。このブレードユニットは、そのブレードの鋭さが不満足なレベルに低下したときに新しいブレードユニットと交換できるように、ハンドルに着脱可能に取り付けることができる。あるいは、このブレードユニットは、ブレードが切れなくなったときには剃刀全体を捨てることを意図してハンドルに固定的に取り付けることもできる。着脱可能および交換可能なブレードユニットは、剃刀カートリッジと一般に呼ばれている。
【背景技術】
【０００２】
近年、複数のブレード（特に２枚のブレード、最近においては３枚のブレード）を有し、その切刃が互いに平行に延びるように配置されて、それに設けられているガード表面およびキャップ表面間の肌に接触するブレードユニットが市販されている。これらのブレードユニットの性能は、ある種のガードおよびキャップ構造、すなわち一連の直立したフィンを有するガード上のエラストマ製ストリップ（帯板）や、毛剃り中に皮膚表面上に潤滑剤のような物質を塗布するためにキャップに設けられた毛剃り補助ストリップによって向上する。ほとんどの場合、これらの公知のブレードユニットは、きわめて満足のいく結果をもたらす。しかしながら、複数のブレードおよび特別なガードおよびキャップ構造の存在により、このブレードユニットは一般的に比較的大きな領域において肌と接触するため、いくつかの剃刀においては、鼻の下や耳の近くといった顔の造作によってそのアクセスが制限される湾曲のきつい領域における毛剃りに困難を感じる。
【０００３】
毛剃り動作を実行する際にブレードユニットが皮膚の輪郭に追従できるようにする目的で、ブレードの切刃と平行に延びる軸線の回りに回動自在にブレードユニットを取り付けることは周知である。一般的に、ハンドルに対するブレードユニットの回動は、ブレードユニットが毛剃り動作を実行するときの皮膚に対するハンドルの向きの小さな変化に対して毛剃りの効率が影響を受けにくいようにし、剃刀の使用を容易なものとする。いくつかの剃刀において、ブレードユニットの回動により、湾曲のきつい領域を毛剃りするときの皮膚に対するブレードユニットの最適な位置決めに困難を感じることが判っている。また、安全剃刀のユーザーには、より長い体毛、例えばもみあげを整えるときに、剃刀のブレードユニットを皮膚に対してより強く押しつけることを望む傾向がある。また、ブレードユニットの回動は、皮膚に対する切刃を押し付け力を高めようとする試みを妨げるように作用することがしばしば認められている。
【０００４】
前述した考察に鑑みると、必要とされているものは、より長い体毛を整えること、および剃刀のアクセスが制限される毛剃り皮膚領域に関するあらゆる消費者の要求をより良く満足させることができる安全剃刀ブレードユニットである。
【０００５】
毛剃りの際の使用法について高い融通性をもたらす安全剃刀を提供することについて、いくつかの提案がなされてきた。例えば、米国特許第５，１９９，１７３号公報には、凹側および凸側の両方に切刃を具備したブレードを有するアーチ型のブレードユニットを備えた安全剃刀が記載されている。英国特許公開第２１７９２８６号公報は、互いに独立して回動自在にハンドルに取り付けられるとともに、顔面の左側および右側の毛剃りを容易にするようにハンドル上に配置された、２つのブレードユニットを備えた剃刀を提案している。
【０００６】
米国特許第２，４３９，９０９号は、直線的な切刃を有するのではなく、毛剃り中に皮膚を横切って移動する薄片が毛剃り方向に対して傾斜して延びるスロットを有し、かつ湾曲しているこの薄片が剃刀のハンドルに固定的に取り付けられている安全剃刀を記載している。そして、傾いたスロットの後方には、薄片の全体にわたって横方向に延びる鋭利な切刃を有したスロットが追加されており、この追加のスロットに関連付けられた切刃が体毛を整えるようになっている。国際公開ＷＯ９１／０１２０４号公報はまた、剃刀のための鋭利な開口が設けられた薄ブレードを有するブレードユニットを備えた剃刀を記載している。このブレードユニットは、通常の剃刀の間は剃刀ハンドルに対し固定的に保持されるが、体毛を整えるために薄片ブレードの前縁に鋭利な切刃を露出させるべく回動自在に調節できるようになっている。
【発明の開示】
【発明が解決しようとする課題】
【０００７】
アクセスが制限される領域を毛剃りし、あるいはまたより長い体毛を整えるべく、そのようなブレードユニットの性能を改良するためには、先行技術の提案のいずれもが、毛剃り中に回動することが意図されている複数のブレードを有する公知の安全剃刀ブレードユニットに採用するには適していない。
【０００８】
米国特許第６，２７６，０６１号公報には、３枚のブレードを有した安全剃刀ユニットが記載されている。そのブレードユニットの上面にあるガード表面およびキャップ表面間には切刃が配設されており、かつ刈り込み用のブレードが他の３枚のブレードの角度に対して６０〜１２０度、特に８５〜９５度の角度をなすようにその裏側に配設されている。このブレードユニットは、皮膚に対するブレードの係合を制御するための、刈り込み用のブレードに関連付けられた明瞭な皮膚接触表面を有しておらず、かつ刈り込み用のブレードの下側に集められた石鹸および毛剃りくずを容易に洗い落すことができない。
【課題を解決するための手段】
【０００９】
本発明は先行技術の短所に取り組むものであり、本発明によれば、
上面、底面および前後の表面と、
前記上面にある第１のガード表面およびキャップ表面間に配置された複数の切刃と、
前記後面にある第２のガード表面およびキャップ表面間の配置された付加的な（追加的ないし補助的な）切刃と、
を備え、
前記第１のガード表面およびキャップ表面に接する平面内において測定した前記第１のガード表面およびキャップ表面間の距離は、前記第２のガードおよび前記キャップ表面間の距離よりも大きく、
すすぎ水が流通するための通路が、前記付加的な切刃と第２のガード表面との間の隙間を、前記底面の開口と連結している安全剃刀ブレードユニットが提供される。
【００１０】
そのようなブレードユニットによれば、上面にあるガード、ブレードおよびキャップが及ぶ皮膚接触領域は比較的大きく、現在市販されている公知の複数ブレード剃刀カートリッジが対応する領域と同じにすることができる。その一方で、後面にある補助のガード、ブレードおよびキャップが及ぶ皮膚接触領域は実質的により小さいが、それにもかかわらず、それに隣接して突出している顔の造作によって狭められる皮膚領域の毛剃りのためにこのブレードユニットを使用できるようにする。すすぎ水の流通のための通路は、石鹸および毛剃りくずをブレードの下側から有効に除去できるようにし、ブレードの下側のスペースの詰まりによってブレードの性能が損なわれないようにする。さらに、この通路が底面に開口しているので、毛剃りくずは上面から離れる側に導かれ、第１のキャップ表面を形成している潤滑用ストリップ（帯板）の表面のような面に、切断された体毛が固着して皮膚接触表面に悪い影響を及ぼすことがない。
【００１１】
底面の開口は、好ましくは、付加的な切刃の略全長にわたって延びるスロットである。また、この開口の下縁は、その上に第２のガード表面が設けられるガードバーから、第２のガード表面より離間する方向へと延びるリップによって便利に画成される（輪郭づけられる）。
【００１２】
製造の便宜上、第２のガード表面およびキャップ表面は、一体構造のフレーム要素によって画成される。より詳しくは、第１のガード表面およびキャップ表面は主フレーム上に設けられ、かつフレーム要素は、例えばスナップ嵌め接続によって、あるいは主フレームの両端部に配置されたクリップによって主フレームに取り付けられる。あるいは、フレーム要素は、主フレーム上の所定の位置にモールド成形することができる。フレーム要素および付加的な切刃を形成するブレードは、予め組み立てられたユニットとして主フレームに固定することができ、あるいはフレーム要素がこのブレードを主フレーム上に保持する役割を果たすことができる。
【００１３】
フレーム要素は、例えばブレードの両端部をその内側に埋め込んだ状態で樹脂モールド成形することができる。第２のガード表面およびキャップ表面は、皮膚を制御する目的のために、あるいはまたフレーム要素の構造を補強するために、１つ若しくは複数のリブによって接続することができる。付加的なブレードの下側から第２のガード表面に向かって延びる突起を画成する櫛状のブレード支持部材、あるいは第２のガード表面上にある他の適切な構造といった、代わりの皮膚制御構造もまた可能である。
【００１４】
第２のガード表面およびキャップ表面間の距離は、好ましくは、第１のガード表面およびキャップ表面間の距離の７５％以下であり、より具体的には５０％未満、例えば後者の距離の２５％〜４０％である。さらに、第２のガード表面の皮膚接触領域の幅は、好ましくは第１のガード表面のそれよりも小さい。また、第２のキャップ表面の幅は、好ましくは第１のキャップ表面の幅より小さい。
【００１５】
この安全剃刀ブレードユニットは、ブレードユニットの長手方向に延びる軸線回りの回動のために支持構造に取り付けられ、ないしは取付可能であり、その突当たり位置において支持構造に当接してブレードユニットの回動を制限するストッパを有する。そして、毛剃り中に上面にある切刃に作用する毛剃り力は、突当たり位置から離間する側にブレードユニットが回動するように作用し、毛剃り工程中に付加的な切刃に作用する毛剃り力は、ストッパが支持構造に当接する方向にブレードユニットが回動するように作用する。
【００１６】
特に便利な実施形態において、ブレードユニットの回動の突当たり位置は、ブレードユニットがばね構造によってそこへと付勢される静止位置である。第２のガード表面およびキャップ表面間に配置されている付加的なブレードで毛剃りするときには、ブレードユニットは回動せず、ブレードユニットに作用する力はストッパを支持構造へと堅固に押圧する。この構造により、ユーザーは、この剃刀によって体毛を刈り込む作業を実行する際に要求されるのと同じ程度に強く、付加的なブレードの切刃を皮膚にあてがうことができる。
【００１７】
第１と第２のガード表面およびキャップ表面は、好ましくは、第１のガード表面およびキャップ表面に接する平面が、第２のガード表面およびキャップ表面に接する平面に対して１０度〜１３５度の範囲の角度をなすように配設される。接する平面間のこの角度は、ブレードユニットの上面のブレード切刃で毛剃りするときに、後面のブレード切刃が皮膚表面から離れて安全に保持され、かつその逆もまた同じであることを確実なものとする。上述したようにブレードユニットが回動するように構成されるときには、接する平面間の角度は好ましくは９０度以下、より具体的には３０度〜６０度の範囲である。これは、ブレードユニットを皮膚にあてがう荷重が、ストッパが支持構造に対してしっかり当接するように付勢するために向けられ、それによってブレードユニットが突当たり位置に固定されることを確実なものとするためである。
【００１８】
第１のガード表面およびキャップ表面間に配置された切刃を有する、好ましくは３枚以上のブレードがある一方、第２のガード表面およびキャップ表面間には、必要に応じて複数の付加的なブレードを設けることもできるが、切刃を有した付加的なブレードが１枚だけあることが好ましい。
【００１９】
少なくとも第１のガード表面は、皮膚との接触のために、それ自体は公知の一連のフィンあるいはチューブのような上方に向けられた凸部を具備したエラストマ製のストリップ（帯板）を有することが好ましい。また、少なくとも第１のキャップは、それ自体は公知の潤滑性のストリップを有することが好ましい。潤滑性のストリップは、第２のキャップおよびガード表面に接触している皮膚の表面に接触して潤滑することができるように形付けして配置することができる。
【００２０】
本発明を具現化するブレードユニットのいくつかの好ましい実施形態は、添付の図面を参照しつつ、以下に詳細に記載される。
【発明を実施するための最良の形態】
【００２１】
図１および図２には、一体的なフレーム両端部５、６によって相互に接続された前後の部材３，４を有する樹脂製ハウジング、すなわち主フレーム２を備えた安全剃刀ブレードユニット１が示されている。主フレームのうち前後の部材３、４の間には、このブレードユニットの上面に配置されて平行に前方を向いている鋭利な切刃１０、１１、１２を有した３枚のブレード７、８、９が取り付けられている。これらのブレードは、それらの両端部がフレーム両端部のスロット１６、１７、１８内で案内されている細長いブレード支持部材１３、１４、１５によって支持されている。ブレード７、８、９は、それ自体は公知の方法により、毛剃り中に各ブレードに負荷される力の下で互いに独立して移動することができる。これらのブレードは、主フレームの両端部に巻き付けられた金属製のクリップ１９によってスロット内に保持されている。ばね２０、２１、２２が、ブレード支持部材１３、１４、１５の下側に作用し、ブレード７、８、９の下側への変位に対抗する復元力を与えている。
【００２２】
フレームの前側部材３は、毛剃り中に皮膚と接触する上面を有した後側のバックストップ２３を画成するとともに、毛剃り中に皮膚と接触する一連の平行な直立フィン２５の有することが図示されているエラストマ製のガードストリップ２４を支持している。フィン２５に加えて、あるいは、その代わりに、他のエラストマ製ストリップの表面構造を設けることができる。エラストマ製ストリップ２４および後側のバックストップ２３は、皮膚と接触する第１のガード表面２６を画成している。フレームの前側部材３はまた、このブレードユニットの前面を画成している。フレームの後側部材４は、潤滑用ストリップ２８をその上側に支持している。この潤滑用ストリップ２８は、ブレード７、８、９によって皮膚を毛剃りするときに皮膚と接触する第１のキャップ表面２９を、ブレード７、８、９の後側に画成する。このように、第１のガード表面２６、ブレード７，８，９の切刃１０，１１，１２、および第１のキャップ表面２９は、このブレードユニットの上面に位置している。
【００２３】
潤滑用ストリップ２８の後方においてフレームの後側部材４にしっかりと取り付けられるフレーム要素３０は、別個に成形されてスナップ嵌め接続等によってフレームの後側部材４に接続され、あるいは所定の位置にモールド成形されるプラスチック成形品とすることができる。このフレーム要素３０は、第２のガード表面３３および第２のキャップ表面３４をそれぞれ画成する、間隔を開けて平行なバー３１、３２を有している。フレーム要素３０によってしっかりと支持されているのは、第２のガード表面およびキャップ表面３３、３４間に配設されるとともに全般的にブレードユニットの上面から離間する方向に向けられている細長い鋭利な切刃３７を有した、補助的な付加的なブレード３６である。第２のガード表面およびキャップ表面３３、３４および付加的なブレード３６の切刃３７は、ブレードユニットの後面に位置している。
【００２４】
付加的なブレード３６によって毛剃りするときに皮膚に接触する第２のガード表面３３の領域の幅は、ブレード７、８、９によって毛剃りするときに皮膚に接触する第１のガード表面２６の領域の幅よりも実質的に狭い。同様に、第２のキャップ表面３４の皮膚に接触する領域の幅は、第１のキャップ表面２９のそれよりも狭い。さらにまた、図２から容易に判るように、第１のガード表面およびキャップ表面２６、２９の表面に接する平面ｔ１において測定した第１のガード表面およびキャップ表面２６、２９間の距離ｄ１は、第２のガード表面およびキャップ表面３３、３４の表面に接する平面ｔ２において測定した第２のガード表面およびキャップ表面３３、３４間の距離ｄ２よりも大きく、具体的には約３〜４倍大きい。その結果、このブレードユニット１は、その後面にある付加的なブレード３６で毛剃りするときに、上面にあるブレード７、８、９で毛剃りするときよりもはるかに小さい領域で皮膚に接触する。このため、その後面は鼻孔の直ぐ下といった、隣接する顔の造作によってそのアクセスが制限される領域を容易に毛剃りするために用いることができる。接する平面ｔ２は接する平面ｔ１に対して約４５度の角度をなしており、その重要性は後に明白となる。
【００２５】
すすぎ水が流通するための通路がフレーム要素３０に沿って延びるスロット３５によって形成されている。このスロット３５は、第２のガード表面とブレード３６の切刃３７との間に画成されている隙間を、ブレードユニットの底部表面にある開口３８と連結している。スロット３５によって画成されるすすぎ水の通路は、毛剃り中にブレード３６の下側に集まる傾向のある石鹸および毛剃りくずの除去を容易にするとともに、ブレードの下側のスペースが詰まることによってこのブレードの毛剃り性能が損なわれることを防止する。
【００２６】
ブレードユニット１は、ハンドル４１に接続された支持構造４０に回動自在に取り付けられるように構成されており、ブレード７，８，９の切刃１０、１１、１２と平行でその前側にある軸線Ａの回りに回動することができる。支持構造４０としては、国際公開ＷＯ９７／３７８１９に記載されているものが便利であり、その内容はこのこの参照によって本願明細書に組み込まれる。支持構造４０には、ブレードユニットのフレーム２の下側においてフレーム両端部５、６に形成されたジャーナルソケット４３にその自由端が係合する一対のヨークアーム４２がある。ソケット４３は、支持構造４０のアームに当接して、支持構造４０およびハンドル４１に対するブレードユニット１の回動自在な動きの範囲を限定するための突当たり位置を画成するように配置された、ストッパ４４を画成している。ブレードユニット１を突当たり位置に付勢するために、戻しばね機構（図示せず）が設けられている。
【００２７】
ブレード７、８、９で毛剃りするときにそれらの上に作用する力は、ブレードユニット１がばね付勢力に抗して軸線Ａの回りで突当たり位置から離間する方向に回動させようとし、それによってブレードユニット１は、毛剃り行程を実行する間に、それ自体は公知の仕方で皮膚の輪郭に追従することができる。ブレード７、８、９で毛剃りするために普通に保持される位置からハンドルを１８０度回転させると、それらのブレードは毛剃りのための位置から去り、付加的なブレード３６が鼻の下側を毛剃りするために、あるいは図４に示したように耳の前側の体毛を刈り込むために有効な毛剃り位置にもたらされる。付加的なブレード３６で毛剃りするときには、接する平面ｔ１、ｔ２どうしの間の角度θにより、剃刀のユーザーによって負荷される荷重の下で皮膚からブレードユニット１に負荷される力は、支持構造４０のアーム４２に対するより堅固な当接へとストッパ４４を付勢するように作用し、軸線Ａの回りの回動に対してブレードユニット１を効果的に係止する。これにより、ユーザーが毛剃りする皮膚領域に対してブレードを容易に位置決めし、かつ当該領域を毛剃りするために所望するのと同じ程度の力を負荷できるようにする。
【００２８】
本発明によるブレードユニットの第２実施形態が図５〜図９に示されている。それは、フレーム要素３０の部分組立体（サブ・アッセンブリ）構造および補助的なブレード３６においてのみ、上述したブレードユニットとは異なっている。したがって図５〜図９においては、図１〜図４に示されているブレードユニットに対応する部分および構成要素を表示するために同一の参照符号が用いられている。
【００２９】
図５〜図９のブレードユニットにおける補助的なブレード３６は、その全長にわたって延びる金属製のブレード支持部材５０に固定的に取り付けられている。そして、ブレードおよびブレード支持部材の両端部は、これらのブレードおよびブレード支持部材上に直接的に樹脂モールド成形することのできるフレーム要素３０の両端部に埋設されており、それによってブレードユニットの主フレーム２に取り付けられる予め組み立てられたユニットを形成している。このフレーム要素３０は、ブレード保持クリップ１９が取り付けられる領域において主フレームの両端部に設けられた対応凹部内に位置する、一体的な両端部延長部５１を有している。フレーム要素３０を主フレーム２にしっかりと取り付けるためにブレードユニットの両端部の周りにクリップ１９が巻き付けられるときに、クリップ１９が延長部５１に重なるようにしている。このフレーム要素は、第２のガード表面３３を画成するガードバー５２および第２のキャップ表面３４を画成するキャップバー５３を有している。これらのガードバー５２およびキャップバー５３は互いに平行であり、ブレード３６の略全長にわたって間隔を開けて配置されている。
【００３０】
ガードバーおよびキャップバー５２，５３は、ブレード縁部の全長に対して垂直な平面内に位置する２つの一体的なリブ５４によって相互に接続されている。これらのリブ５４は、２つの機能を果たすことができる。第１に、それらは、必要な場合にガードバー５２により大きな剛性を与えることができる。第２に、それらは、ブレード３６で毛剃りする間にこのブレードが横切って移動する皮膚の輪郭を制御するための、皮膚流れ制御要素として作用することができる。後者に関しては、リブ５４の上端面５５が、第２のガード表面およびキャップ表面３３，３４間においてブレード３６およびブレードの切刃３７を越えて延びている点に注目することができる。もちろん、２つのリブより多い、若しくは少ないリブを必要に応じて設けることができる。
【００３１】
ガードバー５２は、このフレーム要素３０がブレードユニットの主フレーム２に取り付けられたときに、第２のガード表面３３とは反対側においてガードバー５２から前方に延びるリップ５６を有した、略Ｌ字形の部材によって形成されている。リップ５６は、ブレードユニットの底面に開口するとともにブレード３６のその略全長にわたってブレードユニットに沿って延びるスロット３５の底縁を形成している。ガードバーおよびキャップバー５２、５３間でフレーム要素３０が開いている構造により、第２のガード表面３３とブレードの切刃３７との間の隙間を、ブレードユニットの下側表面のスロット開口３８と連結する、比較的大きい流通路を有した通路が形成されている。この通路は、補助的なブレード３６による毛剃り中にフレーム要素の範囲内に集まる石鹸および毛剃りくずを除去するためのすすぎ水を流通させる役割を果たしている。毛剃りくずがブレードユニットの下側から取り除かれるので、ブレードユニットの上面において破片が堆積し、あるいは皮膚に接触する要素、特に潤滑用ストリップ２８上に定着するリスクが最小化される。
【００３２】
本発明の原理から逸脱することなく記載した実施形態に対して変更をなすことは、もちろん可能である。例として言及すると：
ａ）  ２枚あるいは３枚以上のブレードを、ブレードユニットの上面に切刃があるように設けることができ；
ｂ）  切刃を有する複数の付加的なブレードを後面に設けることができ；
ｃ）  例えば記載した実施形態においてブレード７、８、９が可動に取り付けられているように、付加的なブレードをブレードユニットに可動に取り付けることができ；
ｄ）  第２のガード表面にエラストマ製のストリップを設けることができ、このストリップは、皮膚および／または体毛との相互作用のための直立したフィンあるいは他の突起を有することができ；
ｅ）  第２のキャップ表面は、潤滑剤のような毛剃り補助剤を皮膚に付着させるために、毛剃り補助ストリップを有することができ、あるいは、第１のキャップ表面にある潤滑用ストリップ２８は、補助的なブレード３６で毛剃りするときにそれもまた皮膚に接触するように形状付けし位置させることができ；
ｆ）  予め組み立てられたユニットを形成する代わりに、初めに補助的なブレードおよびブレード支持部材を主フレーム上に配置し、その後、例えばスナップ嵌め接続によって主フレームに取り付けられるフレーム要素によって主フレームに保持することができる。
【００３３】
すなわち、具体的に記載した実施形態は非限定的な例としてのみ与えられており、かつ本発明が以下の請求の範囲によってのみ限定されることが意図されていることは理解されるべきである。
【図面の簡単な説明】
【００３４】
【図１】ブレードユニットを背後から見た等角投影図。
【図２】図１のブレードユニットの断面図。
【図３】ハンドルに取り付けられるブレードユニットを示す図。
【図４】ブレードユニットを備えた剃刀を、剃刀ユーザーの耳の前の体毛を刈り込む位置において示す見取図。
【図５】別のブレードユニットを背後から見た等角投影図。
【図６】図５のブレードユニットの断面図。
【図７】図５のブレードユニットを背後から見た図。
【図８】フレーム要素および予備のブレード部分組立の背面図。
【図９】フレーム要素の端面図。
【図１】
0004708341.tif 000002
【図２】
0004708341.tif 000003
【図３】
0004708341.tif 000004
【図４】
0004708341.tif 000005
【図５】
0004708341.tif 000006
【図６】
0004708341.tif 000007
【図７】
0004708341.tif 000008
【図８】
0004708341.tif 000009
【図９】
0004708341.tif 000010